(57)【特許請求の範囲】
【請求項１】
地下に設置される水害避難室であって、
収容壁と、
前記収容壁内に収容され、前記収容壁に固定された側面部と、昇降可能な床部と、天井部とを有する避難空間と、
前記床部の下に設けられた床下空間と、
前記床下空間に貯留した水によって浮くことにより前記床部を浮かせるためのフロート手段と、
前記収容壁内に設けられ、地上から前記避難空間に至るまでの進入路と、
前記進入路と前記避難空間とを連通する開口部と、
前記避難空間から地上に脱出するための脱出手段と、からなり、
水が水害避難室に流入した場合に前記床下空間に水が浸入し前記フロート手段によって前記開口部の上端部の高さまで前記床部の上面が上昇して当該上昇した床部と前記側面部、及び前記天井部とで空気空間が確保される水害避難室。
【請求項２】
前記避難空間内の気圧を減少させるための減圧手段を有する請求項１に記載の水害避難室。
【請求項３】
前記脱出手段は、前記避難空間の側面部に設けられて前記進入路に通じる開閉可能な出口からなる請求項１〜２のいずれか１項に記載の水害避難室。
【請求項４】
前記脱出手段は、更に前記避難空間の天井部に設けられた開閉可能な出口部からなり、前記出口部は地上と連通している請求項１〜３のいずれか１項に記載の水害避難室。
【請求項５】
前記避難空間内には前記床部の上昇を制限するストッパが設けられている請求項１〜４のいずれか１項に記載の水害避難室。
【請求項６】
前記水害避難室の天井部外壁には地上環境を視認可能な視認手段が取り付けられている請求項１〜５のいずれか１項に記載の水害避難室。
【請求項７】
地下に設置される水害避難室であって、
収容壁と、
前記収容壁内に収容され、前記収容壁にそれぞれ固定された側面部と、床部と、天井部とを有する避難空間と、
前記収容壁内に設けられ、地上から前記避難空間に至るまでの進入路と、
前記進入路に形成され、人が前記避難空間内部に進入するための開口部と、
前記進入路に設けられ、前記開口部を閉塞可能であって開口状態と閉塞状態との間で回動可能な閉塞部材と、
前記閉塞部材に取り付けられたフロート部と、
前記避難空間から地上に脱出するための脱出手段と、からなり、
水が前記水害避難室に流入した場合に前記フロート部が流入した水によって浮くことにより前記閉塞部材が前記閉塞状態に回動し、更なる水の前記進入路への流入を阻止する水害避難室。
【請求項８】
前記進入路は複数設けられている請求項７に記載の水害避難室。
【請求項９】
前記進入路は前記避難空間に隣接した位置に設けられ、前記閉塞部材は前記避難空間への進入路の開口部を閉塞可能にする請求項７又は８に記載の水害避難室。
【請求項１０】
前記進入路は前記水害避難室への入り口に設けられ、前記閉塞部材は前記水害避難室への進入路の開口部を閉塞可能にする請求項７又は８に記載の水害避難室。
【請求項１１】
前記進入路内に貯まった水を貯留する貯留空間が前記避難空間の下に設けられ、前記貯まった水を前記貯留空間に流すための弁機構が設けられている請求項７〜１０のいずれか１項に記載の水害避難室。
【請求項１２】
前記避難空間には外気に接した換気出口を備えた換気手段が設けられ、前記換気出口は収容路に収容された浮き材によって閉塞可能に構成され、前記収容路は前記水害避難室上であって水害時に水が流入可能な位置に設けられている請求項７〜１１のいずれか１項に記載の水害避難室。
【請求項１３】
前記水害避難室上にはソーラーパネルが設置され、前記ソーラーパネルで発電した電力で前記換気手段を作動させる請求項１２に記載の水害避難室。
【発明の詳細な説明】
【技術分野】
【０００１】
本発明は、津波、高潮、洪水などの水害が生じた場合の水害避難室に関する。
【背景技術】
【０００２】
２０１１年３月１１日に発生した東日本大震災では多くの沿岸部にいた人々が高台に避難できずに津波に流されて犠牲になった。この事態から今後沿岸部に居住することは多くの場合困難になった。しかし、高台に移住できない場合も少なからずあり、更には漁業施設で働く場合など沿岸部にいなければならない場合も多々ある。また、津波に限らず、台風などによる高潮、洪水などが生じても、低地で居住・就労をしている人々が安心して住んだり労働したりする環境が望まれる。
【０００３】
非特許文献１には津波が来て流された場合に卵型の浮遊可能なカプセルに避難することが開示されている。しかしカプセルは流されている間に他の浮遊物と衝突して大きな衝撃が生じる可能性が高い。
【０００４】
特許文献１には地上に設置される津波シェルターが開示されており「入り口２の連通路天井最下部１５より避難室３の内部の床１２を高くすることで避難室３をエアーポケットとする構造〔００１１〕」が開示されている。この津波シェルターは地上に設置されるため、津波の強力な水流では破壊されたり流されたりする可能性が高い。
【０００５】
地下に設置される避難室は特許文献２をはじめ多数存在するが、水が地下の避難空間に入って避難室全体を浸してしまったら使用不可能になる場合が多く、これを防止するために出入口に鉄鋼製ハッチなどを取り付けるといざ避難という際に重いハッチを開閉しなければならないという負荷が生じる。
【先行技術文献】
【非特許文献】
【０００６】
【非特許文献１】ホームページアドレス：http://commonpost.boo.jp/?p=14784
【特許文献】
【０００７】
【特許文献１】特許公報第４８２２０８７号
【特許文献２】登録実用新案公報第３０３３７２７号
【発明の概要】
【発明が解決しようとする課題】
【０００８】
本発明は、このような事情に鑑みてなされたもので、津波、高潮、洪水などの水害が生じた場合に遠距離を移動することなく安全かつ確実に数時間程度避難できる水害避難室を提供することを目的とする。なお、本願では「水害」を津波、高潮、洪水を含む概念で定義する。
【課題を解決するための手段】
【０００９】
本発明は、前記目的を達成するために、地下に設置される水害避難室であって、収容壁と、収容壁内に収容され、収容壁に固定された側面部と、昇降可能な床部と、天井部とを有する避難空間と、床部の下に設けられた床下空間と、床下空間に貯留した水によって浮くことにより床部を浮かせるためのフロート手段と、収容壁内に設けられ、地上から避難空間に至るまでの進入路と、進入路と避難空間とを連通する開口部と、避難空間から地上に脱出するための脱出手段と、からなり、水が水害避難室に流入した場合に床下空間に水が浸入しフロート手段によって開口部の上端部の高さまで床部の上面が上昇して上昇した床部と側面部、及び天井部とで空気空間が確保される水害避難室、からなる。
【００１０】
本発明によれば、津波や洪水などによる水害時、水が地上を流れたときに、水が水害避難室上にも流れて進入路から水害避難室内に流入する。流入した水は水害避難室の底面から水害避難室内を順次上に向かって浸していく。即ち、水は開口部から床下空間内に浸入するが、床下空間に貯留した水によってフロート手段が浮いて床部を浮かせ、開口部の上端部の高さまで床部の上面が上昇する。しかし、その高さ以降、パスカルの原理により、水は避難空間内に浸入しない。よって、避難空間内が水に浸されず、当該上昇した床部と側面部、及び天井部とで空気空間が確保される。避難空間には床部が前述した位置まで上昇して内部に密閉された空気空間を有するため浮力が働くが、避難空間の側面部は収容壁に固定されているため、浮上しない。空気空間内には、例えば少なくとも津波の水が引くまでのある程度の時間（例えば数時間）は人が滞留することができる。地上の水が引いたら脱出手段により地上に脱出する。
【００１１】
水害避難室へ避難する手順としては、津波や洪水などが襲ってきそうだという情報を入手したら、人は地上から進入路を降りる。進入路はスロープでも階段でもよい。そして進入路から開口部をくぐって床部に移り、避難空間に到着する。フロート手段を採用することにより、進入路下端と床部の床面とを同じ高さにすることができる。避難空間内には数時間分の食料や水を予め備蓄しておくとよい。
【００１２】
水害避難室は地下に設置されているため、津波や洪水などの地上を走る水流に押し流されることはほとんどない。このことは２０１１年３月１１日に起きた東日本大震災のときに津波が襲った後でも建物の土台は残っていたことからも認識できる。
【００１３】
本発明は、前記避難空間内の気圧を減少させるための減圧手段を有することができる。
【００１４】
これによれば、減圧手段により避難空間内の気圧を減少させ、床部を上昇させることができる。床部を上昇させれば人の立つ高さが前記天井部により近くなる。
【００１５】
本発明は、脱出手段は、避難空間の側面部に設けられて進入路に通じる開閉可能な出口からなるとすることができる。
【００１６】
これによれば、脱出手段を、避難空間の側面部に設けられて進入路に通じる開閉可能な出口とすることにより、避難空間にいる人が側面部の出口を開いて出口を通って進入路から地上に出ることができる。すなわち、天井部まで登らなくても人が地上に出ることができる。なお、側面部の出口を開くことができるようにするためには、出口を開くことができる高さまで浸水していないことが条件となる。
【００１７】
本発明は、脱出手段は、更に避難空間の天井部に設けられた開閉可能な出口部からなり、出口部は地上と連通しているとすることができる。
【００１８】
これによれば、人が天井部に設けられた出口部を開いて地上に出る。この出口部は、例えば、避難ハッチが該当する。
【００１９】
本発明は、避難空間内には床部の上昇を制限するストッパが設けられているとすることができる。
【００２０】
このストッパにより、床部が上昇して天井部に達することが防止できる。
【００２１】
本発明は、水害避難室の天井部外壁には地上環境を視認可能な視認手段が取り付けられているとすることができる。
【００２２】
この視認手段により、地上環境を視認できる。例えば、地上の水が引いたかどうか確認でき、地上に脱出してよいかどうか判断できる。
【００２３】
本発明は、地下に設置される水害避難室であって、収容壁と、収容壁内に収容され、収容壁にそれぞれ固定された側面部と、床部と、天井部とを有する避難空間と、収容壁内に設けられ、地上から避難空間に至るまでの進入路と、進入路に形成され、人が避難空間内部に進入するための開口部と、進入路に設けられ、開口部を閉塞可能であって開口状態と閉塞状態との間で回動可能な閉塞部材と、閉塞部材に取り付けられたフロート部と、避難空間から地上に脱出するための脱出手段と、からなり、水が水害避難室に流入した場合にフロート部が流入した水によって浮くことにより閉塞部材が閉塞状態に回動し、更なる水の進入路への流入を阻止する水害避難室、からなる。
【００２４】
本発明によれば、水害が起きて水が進入路から避難空間へ向かって浸入すると、フロート部が流入した水によって浮くことにより、フロート部が取り付けられた閉塞部材が閉塞状態へと回動する。閉塞部材によって進入路への水の更なる流入が阻止される。
【００２５】
本発明は、進入路は複数設けられているとすることができる。
【００２６】
本発明は、進入路は避難空間に隣接した位置に設けられ、閉塞部材は避難空間への進入路の開口部を閉塞可能にすることができる。すなわち、閉塞部材は回動することによって避難空間への進入路の開口部を閉塞させることができ、避難空間への水の流入が阻止できる。
【００２７】
本発明は、進入路は水害避難室への入り口に設けられ、閉塞部材は水害避難室への進入路の開口部を閉塞可能にすることができる。すなわち、閉塞部材は回動することによって進入路の開口部を閉塞させることができ、進入路への水の更なる流入が阻止できる。
【００２８】
本発明は、進入路内に貯まった水を貯留する貯留空間が避難空間の下に設けられ、貯まった水を貯留空間に流すための弁機構が設けられているとすることができる。弁機構を開くことにより、進入路内に貯まった水を貯留空間に流して貯留させることができる。
【００２９】
本発明は、避難空間には外気に接した換気出口を備えた換気手段が設けられ、換気出口は収容路に収容された浮き材によって閉塞可能に構成され、収容路は水害避難室上であって水害時に水が流入可能な位置に設けられているとすることができる。通常時は避難空間は密閉状態なので換気手段によって換気を行いたい。水害時に水が水害避難室上に流入すると、収容路にも水が流入し、収容路に収容された浮き材が浮いて浮き材が換気出口を閉塞させ、換気出口からの避難空間への水の流入が阻止される。
【００３０】
本発明は、水害避難室上にはソーラーパネルが設置され、ソーラーパネルで発電した電力で換気手段を作動させることができる。換気手段はソーラーパネルで発電した電力で作動されるので、他の電源を要せずに日常的に避難空間内が換気される。
【発明の効果】
【００３１】
本発明によれば、水害避難室を自宅の庭の地下や公共スペースの地下に設置できるので、津波や洪水などが生じた場合に遠くの高台まで行かなくても即時に安全かつ確実に避難することができる。特に、例えば津波警報が出されてから津波の第一波が到達するまでの短い時間に避難できる可能性が非常に高い。高台がない平野部に居住している人や漁業などの沿岸施設で仕事をしている人には特に有効である。
【図面の簡単な説明】
【００３２】
【図１】本発明の水害避難室を人家の庭の地下に設置した概観断面図
【図２】本発明の第１実施形態の水害避難室で床部が最下位位置にある状態の斜視図
【図３】図２のＡ−Ａ線断面図
【図４】本発明の第１実施形態の水害避難室で床部が上昇した状態の斜視図
【図５】図４のＢ−Ｂ線断面図
【図６】本発明の第２実施形態の水害避難室を示した斜視図
【図７】（ａ）は図６の実施形態の水害避難室で天井を外した状態の平面図、（ｂ）は図６のＣ−Ｃ線断面図、（ｃ）は図６のＤ−Ｄ線断面図
【図８】本発明の第３実施形態の水害避難室を示した斜視図
【発明を実施するための形態】
【００３３】
以下、添付図面に従って本発明の第１実施形態について詳説する。本実施形態では、津波が襲来しそうなときに人が水害避難室へ一時的に避難し、津波の水が引いたときに水害避難室から脱出する例を説明する。
【００３４】
図１は、本発明の水害避難室２を人家の庭の地下に設置した概観断面図である。
【００３５】
同図に示すように、人家の庭の地下に水害避難室２を設置することができる。設置する際は、まず地下を直方体状に掘る。掘った直方体の底及び周囲を外壁２８で固める。外壁２８は一般的にはコンクリート製である。外壁２８の内側には後述する避難室ユニット体３を設置する。更に直方体の上部、即ち上蓋に当たる部分にも外壁２８を取り付ける。
【００３６】
避難室ユニット体３に入る進入口４の地上部には、進入口４の存在が地上からわかるように進入口４を取り囲む形態で柵４２を設置する。進入口４には蓋の類は取り付けられておらず、開口となっている。緊急避難時に重たい蓋を持ち上げたり開いたりする時間的、精神的余裕はないと思われるためである。柵４２の一端には入口扉４０が形成されていて開閉可能なように柵４２に取り付けられている。進入口４を覆うように屋根４６が取り付けられ、雨が入らないようにしている。緊急避難時には入口扉４０を開くだけで進入口４から水害避難室２内の避難空間２０へと避難することができる。
【００３７】
外壁２８の上蓋にはハッチ２６、減圧バルブ３６、カメラ３８が取り付けられている。ハッチ２６は水害避難室２内から地上に脱出する際の脱出口としての機能を有する。減圧バルブ３６は水害避難室２内の避難空間２０の気圧を減少させるための減圧手段であり、圧力計（図示せず）が付設されていて避難空間２０内の気圧値を確認できる。カメラ３８は地上の環境を映し出すもので、人が避難空間２０に退避しているときに地上の様子、例えば、津波の水が引いたかどうかを確認する手段となる。
【００３８】
図２〜図５を用いて水害避難室２の構造を詳説する。図２は、床部１６が最下位位置にある状態の水害避難室２を示した斜視図である。図４は、床部１６が上昇した状態の水害避難室２を示した斜視図である。
【００３９】
水害避難室２は上述した外壁２８に囲まれた直方体空間に避難室ユニット体３が設置されている。避難室ユニット体３は、主に、避難空間２０を形成する部分と避難空間２０へ至るための部分とに分かれる。
【００４０】
避難空間２０へ至るための部分は、進入口４、進入階段６、踊り場８、エントランス１２からなる。
【００４１】
進入口４は、正方形の開口となっている。進入口４の直下からは進入階段６が下に向かって延びており、途中、踊り場８を経て逆向きに更に下っている。進入階段６の下端には長方形の平床からなるエントランス１２が形成されている。
【００４２】
エントランス１２に隣接して避難空間２０が形成されている。避難空間２０は直方体形状からなり、底面を構成する床部１６、側面を構成する内壁３２、上面を構成する天井３４からなる。床部１６、内壁３２、天井３４は繊維強化プラスチック（Ｆ．Ｒ．Ｐ．）から成っている。エントランス１２に隣接する側面の内壁３２の略下半分の幅方向中央部には長方形の開口部１４が形成されている。開口部１４は当該側面の内壁３２の最底部まで形成されている。開口部１４は人が通れる大きさになっている。床部１６はベニヤ板から構成されている。床部１６の裏面全面にはフロート３０が貼着されている。フロート３０の下には床下空間１８が形成可能になっている。床部１６は床下空間１８に水が入ることにより、フロート３０が水に浮いて床部１６が上昇する構造になっている。水が引けば床部１６は下降する。フロート３０の材質は、発泡スチロール、ポリプロピレン発泡体、オレフィン系プラスチック発泡体などが適用できる。フロートの厚みは５〜１５ｃｍが適当である。
【００４３】
床部１６が最下降位置にあるとき、床部１６の表面とエントランス１２の表面とは同一の高さにあるが、床部１６とエントランス１２との間には開口部１４の位置に隙間が形成されている。水はこの隙間から入って床下空間１８に浸入する。
【００４４】
床部１６の四つの角には柱状のストッパ２２がそれぞれ立設されている。床部１６が上昇した場合に、床部１６が天井３４に当接して避難空間２０が消滅することがないようにするためである。
【００４５】
内壁３２の上部には梯子２４が取り付けられている。梯子２４の上の天井３４にはハッチ２６が取り付けられている。梯子２４を登ってハッチ２６を開けることにより、外に脱出することができる。ハッチ２６は、例えば鋼鉄製のものが適用できる。
【００４６】
内壁３２の、踊り場８に対応する部分には、側面扉１０が取り付けられている。側面扉１０は踊り場８側に開くことが可能になっている。床部１６が最上位にあるとき、床部１６と踊り場８とはほぼ同じ高さにあり、床部１６が当該位置にあるときに水が進入階段６の踊り場８の高さまで来ていないときには、側面扉１０を開けることができる。側面扉１０は防水扉となっている。
【００４７】
天井３４には減圧バルブ３６が取り付けられている。減圧バルブ３６はネジ式になっており、回すと避難空間２０の空気が外部に出て避難空間内の気圧が低下する。
【００４８】
外壁２８の上蓋に取り付けられているカメラ３８は、モニタ４４が天井３４に取り付けられており、水に濡れると発電する構造になっている。
【００４９】
本実施の形態の作用を津波の場合を例に説明する。
【００５０】
津波が来そうだという情報を受けたら、避難者は必要最低限のものを持って庭に出る。入口扉４０を開けて、進入口４から水害避難室２内に入り、進入階段６を下りて行く。エントランス１２に入り、開口部１４をくぐって避難空間２０の床部１６に入る。エントランス１２と床部１６とはほぼ同一の高さであるため、緊急時に足の不自由な人でもつまづきにくく移動しやすい。進入階段６は車椅子用にスロープで構成されていてもよく、エントランス１２と床部１６とはほぼ同一の高さであるため、車椅子でも容易に移動できる。
【００５１】
避難空間２０の床部１６で待機している間、津波が襲ってきたとする。水流が自宅の庭に来て柵４２を破壊し、水が進入口４から水害避難室２内へ流入する。流入した水は進入階段６を勢いよく下っていく。この時点で踊り場８の側面扉１０は閉まっているため、側面扉１０から避難空間２０へは水は入らない。進入階段６を下った水はエントランス１２に至り、エントランス１２と床部１６との隙間に入って開口部１４の下部から床下空間１８に浸入する。水が少しでも床下空間１８に浸入するとフロート３０が浮上するので、開口部１４から流入する水は床部１６上に入らなくなる。
【００５２】
床下空間１８に次々に入った水により、フロート３０が浮き上がってきて床部１６が上昇する。フロート３０が開口部１４の上端部の高さまで浮き上がると、いくら水が進入口４から水害避難室２内に流入しても避難空間２０には流入せず、フロート３０も開口部１４の上端部以上には浮き上がらない。従って、床部１６もそれ以上は上昇しない。図４はこの位置を示したものである。これは、パスカルの原理によるものである。よって、避難空間２０が空気空間として保たれ、津波の水が引くまでのある程度の時間（例えば数時間）は人が待機することができる。避難空間２０には床部１６が前述した位置まで上昇して内部に密閉された空気空間を有するため浮力が働くが、避難空間２０の内壁３２は外壁２８にアンカーボルトにより固定されているため、浮上しない。
【００５３】
避難空間２０にいる間、避難者はカメラ３８のモニタ４４を見て地上の水が引いたかどうかを確認する。地上の水が引いたことを確認したら、避難者が減圧バルブ３６を減圧方向に回転させて避難空間２０内の気圧を減少させる。減圧した分、フロート３０が浮き上がり、床部１６が上昇する。床部１６の上昇は、ストッパ２２が天井３４に当接したら止まる。その時点で減圧バルブ３６を非減圧方向に回転させて、避難空間２０に水が入らないようにする。減圧バルブ３６の操作は、上記圧力計で避難空間２０内の気圧値を確認しながら行う。
【００５４】
上記ストッパ２２が天井３４に当接した位置では、床部１６と側面扉１０の下端とはほぼ同じ高さになるので、側面扉１０の外に水がきていなくて側面扉１０が外方向に開けば側面扉１０から踊り場８に出て進入階段６を昇って地上に脱出する。
【００５５】
側面扉１０の外に水がきていて側面扉１０が外方向に開かない場合には、梯子２４を上ってハッチ２６を開け、地上に出る。
【００５６】
本実施の形態によれば、高台までの遠距離を移動することなく自宅の庭下で津波が引くまでの数時間、安全に避難できる。避難空間２０には、数時間分の食料、飲料、携帯トイレなどを備えておくとよい。避難空間２０には、ＧＰＳ(Global Positioning System)（ 全地球測位システム）機能を搭載した携帯電話や非常用位置指示無線標識装置などを持ち込むか設置しておくとよい。避難時に他者からの救出を受けやすくするためである。
【００５７】
水害避難室２の設置は、自宅の庭に限らず、公園、幼稚園園庭、公民館、公共スペースなどの下でもよい。設置場所や収容対象人数に応じて避難室ユニット体３の規模を大きくしたり小さくしたりすることができる。水害避難室２は１年に１回程度、メンテナンスすることが望まれる。
【００５８】
本実施の形態では、外壁２８、避難空間２０を直方体形状としたが、これらを円筒形状とすることもできる。円筒形状とすることにより、周りの土壁からの圧力や避難空間２０の周囲に充満した水からの圧力を均等に受けることができる。
【００５９】
本発明の第２実施形態を図６〜図７を用いて説明する。
【００６０】
図６は、本発明の第２実施形態の水害避難室５２を示した斜視図である。第１実施形態と同一の構造・部材には同一の番号を付してその説明を省略する。
【００６１】
水害避難室５２は第１実施形態の水害避難室２と同様に自宅の庭の地下に設置される。水害避難室５２はフロートを用いずに内階段５８を設けたものである。
【００６２】
水害避難室５２は外壁２８に囲まれた直方体空間に避難室ユニット体５３が設置されている。避難室ユニット体５３は、主に、避難空間６４を形成する部分と避難空間６４へ至るための部分とに分かれる。
【００６３】
避難空間６４へ至るための部分は、進入口４、進入階段６６、降り場５４からなる。進入口４からは進入階段６６が下に延びているが踊り場は存在しない。進入階段６６を降りると平面のスペースからなる降り場５４が設けられている。
【００６４】
進入階段６６、降り場５４に隣接して避難空間６４が形成されている。進入階段６６、降り場５４と避難空間６４との間には内壁３２が形成されている。避難空間６４は箱体形状からなり、内壁３２を長方形に開口したくぐり口５６を介して降り場５４に隣接する入口スペース６２、入口スペース６２から連続する内階段５８、内階段５８から続く床面６０、内壁３２、天井３４からなる。床面６０、内壁３２、天井３４は繊維強化プラスチック（Ｆ．Ｒ．Ｐ．）から成っている。くぐり口５６の高さは床面６０の高さよりも５０ｃｍ〜１ｍ低いことが望ましく、本実施形態では７０ｃｍ低い。進入階段６６、内階段５８はスロープとしてもよい。
【００６５】
第２実施形態の作用を津波の場合を例に説明する。
【００６６】
津波が来そうだという情報を受けたら、避難者は必要最低限のものを持って庭に出る。入口扉４０を開けて、進入口４から水害避難室５２内に入り、進入階段６６を下りて行く。降り場５４に降り、くぐり口５６をくぐって入口スペース６２に入り、内階段５８を登って避難空間６４の床面６０に入る。
【００６７】
避難空間６４の床面６０で待機している間、津波が襲ってきたとする。水流が自宅の庭に来て柵４２を破壊し、水が進入口４から水害避難室５２内へ流入する。流入した水は進入階段６６を勢いよく下っていく。進入階段６６を下った水は降り場５４に至り、くぐり口５６をくぐって入口スペース６２に入る。入口スペース６２に入った水は徐々に水かさを増し、内階段５８を昇っていく状態になる。すなわち、水が避難空間６４内に浸入していく。
【００６８】
水は内階段５８を昇るように水位を上昇させていくが、くぐり口５６の高さが床面６０の高さよりも７０ｃｍ低いので、パスカルの原理によりくぐり口５６の上端部以上の水位には避難空間６４内に浸入しない。よって、避難空間６４が空気空間として保たれ、津波の水が引くまでのある程度の時間（例えば数時間）は人が待機することができる。避難空間６４には内部に密閉された空気空間を有するため浮力が働くが、避難空間６４の内壁３２は外壁２８にアンカーボルトにより固定されているため、浮上しない。
【００６９】
避難空間６４にいる間、避難者はカメラ３８のモニタ４４を見て地上の水が引いたかどうかを確認する。地上の水が引いたことを確認したら、梯子２４を上ってハッチ２６を開け、地上に出る。
【００７０】
本実施の形態によれば、高台までの遠距離を移動することなく自宅の庭下で津波が引くまでの数時間、安全に避難できる。避難空間６４には、数時間分の食料、飲料、携帯トイレなどを備えておくとよい。避難空間６４には、ＧＰＳ(Global Positioning System)（ 全地球測位システム）機能を搭載した携帯電話や非常用位置指示無線標識装置などを持ち込むか設置しておくとよい。避難時に他者からの救出を受けやすくするためである。
【００７１】
水害避難室５２の設置は、自宅の庭に限らず、公園、幼稚園園庭、公民館、公共スペースなどの下でもよい。設置場所や収容対象人数に応じて避難室ユニット体５３の規模を大きくしたり小さくしたりすることができる。水害避難室５２は１年に１回程度、メンテナンスすることが望まれる。
【００７２】
第２実施形態では、外壁２８、避難空間６４を箱体形状としたが、これらを円筒形状とすることもできる。円筒形状とすることにより、周りの土壁からの圧力や避難空間６４の周囲に充満した水からの圧力を均等に受けることができる。
【００７３】
本発明の第３実施形態を図８を用いて説明する。
【００７４】
図８は、本発明の第３実施形態の水害避難室９８を示した斜視図である。第２実施形態と同一の構造・部材には同一の番号を付してその説明を省略する。
【００７５】
水害避難室９８は第２実施形態の水害避難室５２と同様に自宅の庭の地下に設置される。水害避難室９８はフロートを用いずにスロープ８１を設けたものである。
【００７６】
水害避難室９８は外壁２８に囲まれた直方体空間に避難室ユニット体５３、貯留空間６８が設置されている。避難室ユニット体５３は、主に、避難空間１０２を形成する部分と避難空間１０２へ至るための部分とに分かれる。
【００７７】
避難空間１０２へ至るための部分は、進入口４、スロープ７８、降り場５４、入口スペース６２、スロープ８１からなる。進入口４からはスロープ７８が下に向かって延びていて、スロープ７８の基端部には進入口４を閉塞可能にする長方形の閉塞板７２がヒンジ７６にて回動可能に取り付けられている。閉塞板７２の裏面にはフロート板７４が密着されている。
【００７８】
スロープ７８、降り場５４に隣接して避難空間１０２が形成されている。スロープ７８、降り場５４と避難空間１０２との間には内壁３２が形成されている。避難空間１０２は箱体形状からなる。避難空間１０２に至るまでには、内壁３２を長方形に開口したくぐり口５６を介して降り場５４に隣接する入口スペース６２、入口スペース６２から連続するスロープ８１が形成されている。避難空間１０２は、スロープ８１から続く床面６０、内壁３２、天井３４からなる。くぐり口５６の高さは床面６０の高さよりも５０ｃｍ〜１ｍ低いことが望ましく、本実施形態では７０ｃｍ低い。スロープ８１の上方には床面６０をくりぬく形で上り口１００が形成されている。スロープ８１は、長方形の閉塞板８０から構成されており、閉塞板８０の先端部にはヒンジ８４が取り付けられ、ヒンジ８４を基点として回動可能に構成され、上がり口１００を閉塞可能にしている。閉塞板８０の裏面にはフロート体８２が密着されている。
【００７９】
避難空間１０２の下には、流入してきた水を貯留する貯留空間６８が形成されている。入口スペース６２には、流入してきた水を貯留空間６８に落とすための弁機構７０が取り付けられている。
【００８０】
避難空間１０２の上部角部には、換気扇８８が取り付けられている。換気扇８８には換気筒９０が連設され、換気筒９０端部の換気出口８６は、避難空間側に外からくり抜かれた直方体状の竪穴９４内に突設されている。換気出口８６は換気扇８８に対して９０度下向きに屈曲された出口を有し、その真下には浮き材９２が配置されている。外壁２８の上蓋にはソーラーパネル９６が設置され、ここで発電された電力で換気扇８８を作動させる。
【００８１】
第３実施形態の作用を津波の場合を例に説明する。
【００８２】
津波が来そうだという情報を受けたら、避難者は必要最低限のものを持って庭に出る。入口扉４０を開けて、進入口４から水害避難室９８内に入り、スロープ７８を下りて行く。降り場５４に降り、くぐり口５６をくぐって入口スペース６２に入り、スロープ８１を登って避難空間１０２の床面６０に入る。
【００８３】
避難空間１０２の床面６０で待機している間、津波が襲ってきたとする。水流が自宅の庭に来て柵４２を破壊し、水が進入口４から水害避難室９８内へ流入する。流入した水はスロープ７８を勢いよく下っていく。スロープ７８を下った水は降り場５４に至り、くぐり口５６をくぐって入口スペース６２に入る。入口スペース６２に入った水は徐々に水かさを増し、スロープ８１を昇っていく状態になる。すなわち、水が避難空間１０２めがけて浸入していく。
【００８４】
水はスロープ８１を昇るように水位を上昇させていくが、くぐり口５６の高さが床面６０の高さよりも７０ｃｍ低いので、パスカルの原理によりくぐり口５６の上端部以上の水位には避難空間１０２内には浸入しない。よって、避難空間１０２が空気空間として保たれ、津波の水が引くまでのある程度の時間（例えば数時間）は人が待機することができる。避難空間１０２には内部に密閉された空気空間を有するため浮力が働くが、避難空間１０２の内壁３２は外壁２８にアンカーボルトにより固定されているため、浮上しない。
【００８５】
また、水が入口スペース６２に貯まっていくと閉塞板８０は裏面に密着されたフロート体８２の浮力によりヒンジ８４を基軸にして上方向に徐々に回動していく。
【００８６】
水がくぐり口５６の高さまで達する前に、閉塞板８０はフロート体８２の浮力によって水平位置まで回動し、上がり口１００を閉塞させる。よって、水がさらに進入口４から水害避難室９８内に浸入しても避難空間１０２には上記パスカルの原理及びスロープ８１の回動の二重の手段により、水が浸入しない構造になっている。
【００８７】
さらに水が進入路内のスロープ７８に充満していくと、今度は閉塞板７２が、裏面に密着されたフロート板７４の浮力により、ヒンジ７６を基軸にして上方向に回動する。そして水がスロープ７８に充満完了すると閉塞板７２は水平位置まで回動し、進入口４を閉塞させる。この結果、水は水害避難室９８内にはそれ以上、浸入しない。
【００８８】
避難空間１０２にいる間、避難者はカメラ３８のモニタ４４を見て地上の水が引いたかどうかを確認する。地上の水が引いたことを確認したら、梯子２４を上ってハッチ２６を開け、地上に出る。
【００８９】
本実施の形態によれば、高台までの遠距離を移動することなく自宅の庭下で津波が引くまでの数時間、安全に避難できる。避難空間１０２には、数時間分の食料、飲料、携帯トイレなどを備えておくとよい。避難空間１０２には、ＧＰＳ(Global Positioning System)（全地球測位システム）機能を搭載した携帯電話や非常用位置指示無線標識装置などを持ち込むか設置しておくとよい。避難時に他者からの救出を受けやすくするためである。
【００９０】
水害避難室９８の設置は、自宅の庭に限らず、公園、幼稚園園庭、公共スペースなどの下でもよい。設置場所や収容対象人数に応じて避難室ユニット体５３の規模を大きくしたり小さくしたりすることができる。水害避難室９８は１年に１回程度、メンテナンスすることが望まれる。また、使用しない状態（通常時）では、避難空間１０２内を換気しておくことが望ましく、ソーラーパネル９６により発電した電力により換気扇８８を作動させておくとよい。換気扇８８の換気出口８６は水害時に水が竪穴９４に浸入すると浮き材９２が浮力で浮いて換気出口８６を塞ぎ、水が換気出口８６から換気筒９０内に浸入しない。浮き材９２は発泡スチロール製のボールなどが適用できる。
【００９１】
スロープ７８、降り場５４、入口スペース６２、スロープ８１からなる、避難空間１０２へ至るための通路（進入路）内の水を抜くためには、弁機構７０の弁を開いて水を貯留空間６８に落とす。貯留空間６８に落とした水は別途ポンプでくみ上げる。
【００９２】
第３実施形態では、外壁２８、避難空間１０２を箱体形状としたが、これらを円筒形状とすることもできる。円筒形状とすることにより、周りの土壁からの圧力や避難空間１０２の周囲に充満した水からの圧力を均等に受けることができる。
【符号の説明】
【００９３】
２…水害避難室、３…避難室ユニット体、４…進入口、６…進入階段、１０…側面扉、１２…エントランス、１４…開口部、１６…床部、１８…床下空間、２０…避難空間、２２…ストッパ、２４…梯子、２６…ハッチ、２８…外壁、３０…フロート、３２…内壁、３４…天井、３６…減圧バルブ、３８…カメラ、４４…モニタ、５２…水害避難室、５３…避難室ユニット体、５４…降り場、５６…くぐり口、５８…内階段、６０…床面、６２…入口スペース、６４…避難空間、６６…進入階段、６８…貯留空間、７０…弁機構、７２…閉塞板、７４…フロート板、７６…ヒンジ、７８…スロープ、８０…閉塞板、８１…スロープ、８２…フロート体、８４…ヒンジ、８６…換気出口、８８…換気扇、９２…浮き材、９４…竪穴、９６…ソーラーパネル、９８…水害避難室、１００…上がり口、１０２…避難空間
【要約】
【課題】津波、高潮、洪水などの水害が生じた場合に遠距離を移動することなく安全かつ確実に数時間程度避難できる水害避難室を提供する。
【解決手段】地下に設置される水害避難室２であって、外壁２８と、外壁２８に固定された内壁３２と、昇降可能な床部１６と天井３４とを有する避難空間２０と、床下空間１８と、床下空間１８に貯留した水によって浮くことにより床部１６を浮かせるためのフロート３０と、地上から避難空間２０に至るまでの進入階段６と、進入階段６と避難空間２０とを連通する開口部１４と、地上に脱出するためのハッチ２６と、からなり、水が水害避難室２に流入した場合に床下空間１８に水が浸入しフロート３０によって開口部１４の上端部の高さまで床部１６の上面が上昇して当該上昇した床部１６と内壁３２、及び天井３４とで空気空間が確保される水害避難室、からなる。
【選択図】  図２【図１】
0005209140.tif 000002
【図２】
0005209140.tif 000003
【図３】
0005209140.tif 000004
【図４】
0005209140.tif 000005
【図５】
0005209140.tif 000006
【図６】
0005209140.tif 000007
【図７】
0005209140.tif 000008
【図８】
0005209140.tif 000009